(57)【要約】【課題】ＢＤなどの着脱可能な記録媒体から消去されたコンテンツを、ユーザーの意図に即してその記録媒体に書き込んで復元することができるコンテンツ記録装置を実現するコンテンツ記録装置を提供する。【解決手段】レコーダ装置１００において、バックエンド制御部２４０のタイトル表示部は、記憶部３４０に記録されたコンテンツであって、現在装填されているディスクに関連付けられたコンテンツの各々に付与されたタイトルからなるタイトルリストをユーザーに提示する。そして、ユーザーによりタイトルリストから選択されたタイトルに対応するコンテンツがディスクに記録されていないとき、ディスクドライブ部３３０は、当該コンテンツを記憶部３４０から読み出してディスクに記録する。【選択図】図１
2011048883.tif 000002
【特許請求の範囲】
【請求項１】
着脱可能な記録媒体にコンテンツを記録するコンテンツ記録装置であって、
着脱不能な記録媒体と、
上記着脱不能な記録媒体に記録されたコンテンツであって、現在装填されている着脱可能な記録媒体に関連付けられたコンテンツの各々に付与された識別子からなる識別子リストをユーザーに提示するリスト提示手段と、
ユーザーにより上記識別子リストから選択された識別子に対応するコンテンツが上記着脱可能な記録媒体に記録されていないとき、当該コンテンツを上記着脱不能な記録媒体から読み出して上記着脱可能な記録媒体に記録する記録手段と、を備えている、
ことを特徴とするコンテンツ記録装置。
【請求項２】
上記記録手段は、上記識別子リストから選択されたコンテンツの全体が上記着脱不能な記録媒体に記録されている場合に、当該コンテンツを上記着脱不能な記録媒体から読み出して上記着脱可能な記録媒体に記録する、
ことを特徴とする請求項１に記載のコンテンツ記録装置。
【請求項３】
上記記録手段は、上記識別子リストから選択された識別子に対応するコンテンツのサイズよりも大きい空き容量が上記着脱可能な記録媒体に存在する場合に、当該コンテンツを上記着脱不能な記録媒体から読み出して上記着脱可能な記録媒体に記録する、
ことを特徴とする請求項１又は２に記載のコンテンツ記録装置。
【請求項４】
上記記録手段が上記識別子リストから選択された識別子に対応するコンテンツを上記着脱可能な記録媒体に記録する前に、当該コンテンツを上記着脱可能な記録媒体に記録するか否かの確認を求めるための情報を提示する情報提示手段を更に備えており、
上記記録手段は、上記情報提示手段により提示された情報に応じてユーザが上記コンテンツを上記着脱可能な記録媒体に記録することを指示した場合に、当該コンテンツを上記着脱不能な記録媒体から読み出して上記着脱可能な記録媒体に記録する、
ことを特徴とする請求項１から３までの何れか１項に記載のコンテンツ記録装置。
【請求項５】
着脱不能な記録媒体を備えたコンテンツ記録装置を用いて、着脱可能な記録媒体にコンテンツを記録するコンテンツ記録方法であって、
上記着脱不能な記録媒体に記録されたコンテンツであって、上記コンテンツ記録装置に現在装填されている着脱可能な記録媒体に関連付けられたコンテンツの各々に付与された識別子からなる識別子リストをユーザーに提示するリスト提示ステップと、
ユーザーにより上記識別子リストから選択された識別子に対応するコンテンツが上記着脱可能な記録媒体に記録されていないとき、当該コンテンツを上記着脱不能な記録媒体から読み出して上記着脱可能な記録媒体に記録する記録ステップと、を含んでいる、
ことを特徴とするコンテンツ記録方法。
【請求項６】
コンピュータを請求項１から４までの何れか１項に記載のコンテンツ記録装置として動作させるためのプログラムであって、上記コンピュータを上記コンテンツ記録装置が備えている上記各手段として機能させることを特徴とするプログラム。
【請求項７】
請求項６に記載のプログラムを記録したコンピュータ読み取り可能な記録媒体。
【発明の詳細な説明】
【技術分野】
【０００１】
本発明は、着脱可能な記録媒体にコンテンツを記録するコンテンツ記録装置、及び、コンテンツ記録方法に関する。また、そのようなコンテンツ記録装置としてコンピュータを動作させるためのプログラム、及び、そのようなプログラムが記録された記録媒体に関する。
【背景技術】
【０００２】
高精細な表示が可能なテレビジョン受像機の普及に伴い、フルハイビジョン番組などの大容量コンテンツを大容量のＢｌｕ−ｒａｙディスク（ＢＤ）に記録することができるＢＤレコーダやＢＤレコーダ内蔵ＴＶが普及している。ＢＤレコーダは、ＢＤドライブやハードディスクドライブ（ＨＤＤ）を内部に備え、動画などのコンテンツをＢＤまたはＨＤＤに記憶（録画）する。
【０００３】
ＢＤレコーダには、ＢＤに記録されたコンテンツを再生する再生機能を併せ持つものが多い。しかしながら、ＢＤレコーダを用いてＢＤに記録されたコンテンツを再生する場合、ＢＤを装填してからコンテンツの再生が開始されるまでに相当の時間を要し、ユーザーにストレスを与えがちであるという問題があった。
【０００４】
このような問題を解決するための技術として、特許文献１に記載のデジタル情報記録再生装置が知られている。特許文献１に記載のデジタル情報記録再生装置は、光ディスクから読み出したコンテンツの再生が可能となるまでの間、光ディスクよりもアクセス速度の速いフラッシュメモリから読み出したコンテンツを再生し、光ディスクから読み出したコンテンツの再生が可能になった時点で、光ディスクから読み出したコンテンツを再生するように構成されている。
【先行技術文献】
【特許文献】
【０００５】
【特許文献１】国際公開第ＷＯ０２／１１１３８号公報（国際公開日２００２年２月７日）
【発明の概要】
【発明が解決しようとする課題】
【０００６】
従来のＢＤレコーダにおいては、通常、ＢＤに記録されたコンテンツを再生する前に、ＢＤに記録されたコンテンツのタイトルからなるタイトルリストをユーザーに提示する。したがって、タイトルリストを予めキャッシュしておき、ＢＤが装填された時点でこれを即座に提示するようにすれば、ユーザーに与えるストレスを軽減することができる。さらに、ＢＤレコーダに特許文献１に記載の技術を適用すれば、ＢＤから読み出したコンテンツの再生が可能になる前にタイトルリストからタイトルが選択された場合であっても、選択されたタイトルに対応するコンテンツをフラッシュメモリから読み出して再生することができ、コンテンツの再生が開始されずにユーザーにストレスを与える虞はない。
【０００７】
しかしながら、タイトルリストをキャッシュしておく構成を採用した場合、タイトルリストから選択されたタイトルに対応するコンテンツが既にＢＤから消去されているという事態が生じ得る。すなわち、キャッシュされたタイトルリストと、ＢＤに記録されているコンテンツとの間に不整合が生じ得る。例えば、（１）ＢＤレコーダからＢＤを抜き取り、（２）そのＢＤに記録されていたコンテンツを他の装置を用いて消去し、（３）そのＢＤをＢＤレコーダ再度装填した場合に、このような不整合が生じることは明らかであろう。
【０００８】
このような不整合を解消するためには、ＢＤに記録されたコンテンツに応じてキャッシュされているタイトルリストを更新したり、あるいは逆に、キャッシュされているコンテンツリストに応じてＢＤに記録されたコンテンツを更新したりすればよい（この場合、タイトルリストとともにコンテンツもキャッシュしておく必要がある）。
【０００９】
しかしながら、このような同期処理を行うだけでは、ユーザーの意図に反する結果を招来することがある。例えば、ＢＤに記録されたコンテンツに応じてキャッシュされたタイトルリストを更新する構成を採ると、ユーザーがタイトルリストを見て「このコンテンツをＢＤに残したい」と思っても、そのような思いを叶えることはできない。また、キャッシュされたタイトルリストに応じてＢＤに記録されたコンテンツを更新する構成を採ると、他の装置を用いてユーザーが意図的に消去したコンテンツがユーザーの意図に反してＢＤに書き戻されるといった事態を生じる。
【００１０】
本発明は、上記の問題点に鑑みてなされたものであり、その目的は、ＢＤなどの着脱可能な記録媒体から消去されたコンテンツを、ユーザーの意図に即してその記録媒体に書き込んで復元することができるコンテンツ記録装置を実現することにある。
【課題を解決するための手段】
【００１１】
上記課題を解決するために、本発明に係るコンテンツ記録装置は、着脱可能な記録媒体にコンテンツを記録するコンテンツ記録装置であって、着脱不能な記録媒体と、上記着脱不能な記録媒体に記録されたコンテンツであって、現在装填されている着脱可能な記録媒体に関連付けられたコンテンツの各々に付与された識別子からなる識別子リストをユーザーに提示するリスト提示手段と、ユーザーにより上記識別子リストから選択された識別子に対応するコンテンツが上記着脱可能な記録媒体に記録されていないとき、当該コンテンツを上記着脱不能な記録媒体から読み出して上記着脱可能な記録媒体に記録する記録手段を備えていることを特徴としている。
【００１２】
また、本発明に係るコンテンツ記録方法は、着脱不能な記録媒体を備えたコンテンツ記録装置を用いて、着脱可能な記録媒体にコンテンツを記録するコンテンツ記録方法であって、上記着脱不能な記録媒体に記録されたコンテンツであって、上記コンテンツ記録装置に現在装填されている着脱可能な記録媒体に関連付けられたコンテンツの各々に付与された識別子からなる識別子リストをユーザーに提示するリスト提示ステップと、ユーザーにより上記識別子リストから選択された識別子に対応するコンテンツが上記着脱可能な記録媒体に記録されていないとき、当該コンテンツを上記着脱不能な記録媒体から読み出して上記着脱可能な記録媒体に記録する記録ステップとを含んでいることを特徴としている。
【００１３】
上記の構成によれば、ユーザーにより識別子リストから選択された識別子に対応するコンテンツを着脱不能な記録媒体から読み出して着脱可能な記録媒体に記録することができる。すなわち、着脱可能な記録媒体から消去されたコンテンツを、ユーザの意図に即してその記録媒体に復元することができる。これにより、ユーザーの意思に反して着脱可能な記録媒体からコンテンツが消去された場合など、消去されたコンテンツの復元を望むユーザーの要望に対応することができる。したがって、ユーザーのコンテンツ操作に対する満足度を向上することができる。
【００１４】
また、本発明に係るコンテンツ記録装置は、上記記録手段は、上記識別子リストから選択されたコンテンツの全体が上記着脱不能な記録媒体に記録されている場合に、当該コンテンツを上記着脱不能な記録媒体から読み出して上記着脱可能な記録媒体に記録するようにしてもよい。
【００１５】
上記の構成によれば、記録手段は、コンテンツが完全な形で着脱不能な記録媒体に記録されている場合に、コンテンツを着脱可能な記録媒体に記録する。
【００１６】
これにより、コンテンツの全てのデータを記憶したものでないとき、コンテンツを現在装填されている着脱可能な記録媒体に記録しないので、着脱可能な記録媒体に不完全なコンテンツが記録されることを防止することができる。
【００１７】
また、本発明に係るコンテンツ記録装置は、上記記録手段は、上記識別子リストから選択された識別子に対応するコンテンツのサイズよりも大きい空き容量が上記着脱可能な記録媒体に存在する場合に、当該コンテンツを上記着脱不能な記録媒体から読み出して上記着脱可能な記録媒体に記録するようにしてもよい。
【００１８】
上記の構成によれば、記録手段は、識別子リストから選択された識別子に対応するコンテンツを記録できるだけの空き領域が着脱可能な記録媒体にある場合にコンテンツを着脱不能な記録媒体から読み出して着脱可能な記録媒体に記録する。
【００１９】
これにより、コンテンツを着脱不能な記録媒体から読み出して着脱可能な記録媒体に記録した際に、ディスクに既に記憶されているコンテンツのデータに上書きしてしまうことを防止することができる。また、コンテンツを着脱可能な記録媒体に記録した際に、空き容量が足りず、不完全なコンテンツが記録されることを防ぐこともできる。
【００２０】
また、本発明に係るコンテンツ記録装置は、上記記録手段が上記識別子リストから選択された識別子に対応するコンテンツを上記着脱可能な記録媒体に記録する前に、当該コンテンツを上記着脱可能な記録媒体に記録するか否かの確認を求めるための情報を提示する情報提示手段を更に備えており、上記記録手段は、上記情報提示手段により提示された情報に応じてユーザーが上記コンテンツを上記着脱可能な記録媒体に記録することを指示した場合に、当該コンテンツを上記着脱不能な記録媒体から読み出して上記着脱可能な記録媒体に記録するようにしてもよい。
【００２１】
上記の構成によれば、記録手段が識別子リストから選択された識別子に対応するコンテンツを着脱可能な記録媒体に記録する前に、当該コンテンツを着脱可能な記録媒体に記録するか否かの確認を求めるための情報を提示する。そして、記録手段は、ユーザーがコンテンツを着脱可能な記録媒体に記録することを指示した場合に、コンテンツを着脱不能な記録媒体から読み出して着脱可能な記録媒体に記録する。
【００２２】
これにより、消去されたコンテンツの復元を実行するか否かをユーザーの意思で決定することができる。したがって、ユーザーのデータ操作に対する満足度を向上することができる。
【００２３】
また、本発明に係るコンテンツ記録装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【発明の効果】
【００２４】
以上説明したように、本発明に係るコンテンツ記録装置は、着脱不能な記録媒体と、着脱不能な記録媒体に記録されたコンテンツであって、現在装填されている着脱可能な記録媒体に関連付けられたコンテンツの各々に付与された識別子からなる識別子リストをユーザーに提示するリスト提示手段と、ユーザーにより識別子リストから選択された識別子に対応するコンテンツが着脱可能な記録媒体に記録されていないとき、そのコンテンツを着脱不能な記録媒体から読み出して着脱可能な記録媒体に記録する記録手段とを備えている。
【００２５】
これにより、ユーザーの意思に反して着脱可能な記録媒体からコンテンツが消去された場合など、消去されたコンテンツの復元を望むユーザーの要望に対応することができる。したがって、ユーザーのコンテンツ操作に対する満足度を向上することができる。
【図面の簡単な説明】
【００２６】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示し、（ｂ）は初期化処理後の記憶部を模式的に示している。
【図３】光ディスクの登録処理を示す図であり、（ａ）は光ディスクの登録処理の際の表示装置における表示の一例を示し、（ｂ）は光ディスクの登録処理後の記憶部を模式的に示している。
【図４】実施形態に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図５】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図６】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図７】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図８】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１２】領域１に記録されていたコンテンツ１およびコンテンツ２を消去した後に、新たにコンテンツ４を録画したときの記憶部およびディスク１の状態を示す図である。
【図１３】コンテンツ４を録画した際の各記憶部の状態を示す図であり、（ａ）は領域１におけるコンテンツの記録状態に対応するディスク１の記録状態の対応関係を示し、（ｂ）はコンテンツ４を記録した際のマップテーブルを示す図であり、（ｃ）はコンテンツ４を記録した際のタイトル管理テーブルを示している。
【図１４】コンテンツ１〜３を記録したディスク１が搭載されている場合の各記憶部の状態を示す図である。
【図１５】マイディスクが搭載されている場合において、再生時にコンテンツが読み出される媒体を模式的に示した図である。
【図１６】ドライブ部に光ディスクが搭載されていない場合の各記憶部の状態を示す図である。
【図１７】マイディスクが搭載されていない場合において、再生時にコンテンツが読み出される媒体を模式的に示した図である。
【図１８】マイディスクが搭載されている場合において、コンテンツが編集される媒体を模式的に示した図である。
【図１９】コンテンツが編集される媒体を模式的に示した図であり、（ａ）はディスク１が搭載されていないときの編集対象となる媒体を示しており、（ｂ）はディスク１が搭載されたときの変更箇所のディスク１への反映を示している。
【図２０】実施形態に係るレコーダ装置におけるメモリ内コピー処理を示す図であり、（ａ）は、メモリ内コピー処理後の記憶部の状態を示し、（ｂ）はメモリ内コピー処理後の記憶部におけるタイトル管理領域の状態を示している。
【図２１】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２２】表示装置におけるタイトル管理テーブルの情報を模式的に示す図である。
【図２３】実施形態に係るレコーダ装置におけるバックエンド制御部の機能を示す機能ブロック図である。
【図２４】ドライブ部の記憶部に記憶されたディスク情報の一例を示す図である。
【図２５】レコーダ装置に記憶されているディスク情報とディスクに記憶されているディスク情報の関係を示す図であり、（ａ）はレコーダ装置に記憶されたディスク情報とディスクに記憶されたディスク情報が一致する場合を示し、（ｂ）および（ｃ）はレコーダ装置に記憶されたディスク情報とディスクに記憶されたディスク情報が一致しない場合を示している。
【図２６】レコーダ装置における復元処理の処理フローを示す図である。
【図２７】復元処理前後におけるレコーダ装置の記憶されているディスク情報とディスクのディスク情報を示す図である。
【図２８】復元処理前後におけるレコーダ装置の記憶部とディスクのメモリマップの状態を示す図である。
【発明を実施するための形態】
【００２７】
本発明に係るレコーダ装置におけるコンテンツの復元方法について説明する前に、本発明に係るレコーダ装置の構成およびレコーダ装置の動作の概要を、図１〜図２２を参照して説明する。
【００２８】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなどの着脱可能な記録媒体にデータを書き込むドライブ装置一般に適用することができる。
【００２９】
本発明に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００３０】
＜レコーダ装置１００の構成＞
本実施形態に係るレコーダ装置の構成について、図１を参照しつつ以下に説明する。図１は、レコーダ装置１００の要部構成を示すブロック図である。
【００３１】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００３２】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００３３】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００３４】
ドライブ部３００は、図１に示すように、インターフェース部３１０、ドライブ制御部３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００３５】
本明細書等では、記憶部３４０における各領域に対して対応付けられた光ディスク、すなわち自身の有するメディアＩＤが記憶部３４０に記録されている光ディスクを「マイディスク」と称する。
【００３６】
バックエンド部２００およびドライブ部３００の備える各部材について、以下に説明する。
【００３７】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００３８】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００３９】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４０】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００４１】
（バックエンド制御部２４０）
バックエンド制御部２４０は、レコーダ装置１００におけるコンテンツデータの記録および再生全般を制御する。
【００４２】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００４３】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００４４】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００４５】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００４６】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００４７】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００４８】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００４９】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００５０】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００５１】
なお、本実施形態では、インターフェース部２９０、３１０がＳＡＴＡである場合を例に挙げて説明する。
【００５２】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００５３】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００５４】
インターフェース部２９０、３１０がＡＴＡインターフェースである場合、バックエンド制御部２４０からの書き込み命令および読み出し命令は、ＡＴＡコマンドとなる。
【００５５】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３２０に出力するようにしてもよい。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００５６】
なお、これは書き込み命令に限るものではなく、読み出し命令についても同様である。
【００５７】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００５８】
ディスクドライブ部３３０は、装填されている光ディスクからデータを読み出したり、光ディスク対してデータを書き込んだりするための光ピックアップ部などを備えている。
【００５９】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６０】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６１】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２（ａ）および（ｂ）および図３（ａ）および（ｂ）を参照して説明する。レコーダ装置１００における事前設定は、記憶部３４０の初期化処理と、記憶部３４０に対する光ディスクの登録処理の２つに大別することができる。
【００６２】
＜記憶部３４０の初期化処理＞
記憶部３４０の初期化処理について、図２（ａ）および（ｂ）を参照しつつ説明する。図２（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００６３】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００６４】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２（ａ）に示すような画像を表示することが好ましい。
【００６５】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００６６】
図２（ｂ）は、初期化処理後の記憶部３４０を示している。図２（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００６７】
管理領域は、図２（ｂ）に示すように、領域１〜領域ｎを管理するマイディスク管理領域と、マイディスク管理領域を管理するメモリ管理領域と、に分けることができる。
【００６８】
マイディスク管理領域には、領域１〜領域ｎの各領域を管理する管理情報が記録されている。図２（ｂ）では、便宜上、領域１を管理する管理情報の記録されている領域を「エントリ１」と称し、以下同様に領域２〜ｎを管理する管理情報の記録されている領域をエントリ２〜ｎと称する。
【００６９】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００７０】
「エントリ番号」は、いずれの領域を管理するのかを示す情報である。例えば、エントリ１は、領域１を管理する管理情報であるため、エントリ番号としては「１」を示す情報が記録されている。
【００７１】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００７２】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００７３】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００７４】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００７５】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００７６】
また、メモリ管理領域には、図２（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００７７】
なお、記憶部３４０を領域１〜領域ｎに仮想的に分割した時に生じる余りの領域を予備領域として活用するようにしてもよい。
【００７８】
＜光ディスクの登録処理＞
次に、記憶部３４０に対する光ディスクの登録処理について、図３（ａ）および（ｂ）を参照しつつ説明する。図３（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００７９】
光ディスクの登録処理とは、記憶部３４０において仮想的に分割されている各領域を管理するエントリに対して、光ディスクのメディアＩＤを記録する処理である。
【００８０】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００８１】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００８２】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００８３】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００８４】
なお、メディアＩＤをエントリに記録する際には、表示装置に図３（ａ）に示すような画像を表示するようにすることが好ましい。
【００８５】
図３（ｂ）は、メディアＩＤ「ａａａ」を有する光ディスクをエントリ１に記録した場合における光ディスクの登録後の記憶部３４０の状態を示している。
【００８６】
光ディスクのメディアＩＤをエントリ１に記録した場合、図３（ｂ）に示すように、光ディスクはエントリ１により管理される領域１に対して対応付けられることになる。
【００８７】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００８８】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００８９】
レコーダ装置１００におけるコンテンツ録画動作について、図４（ａ）〜（ｃ）〜図１３（ａ）〜（ｃ）を参照して以下に説明する。なお、ここでは、コンテンツ録画動作として、予約録画処理を例に挙げて説明する。
【００９０】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００９１】
（予約登録処理）
まず、レコーダ装置１００における予約登録処理について、図４（ａ）〜（ｃ）を参照しつつ以下に説明する。図４（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【００９２】
予約登録処理とは、記憶部２８０および光ディスクに対して予約情報を登録する処理である。予約登録処理については、記憶部３４０の領域１に対応付けられたディスク１を装填している場合を例に挙げて説明する。
【００９３】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【００９４】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４（ｂ））。このとき、ディスク１には、既にメディアＩＤは記録されているため、メディアＩＤについては記録しなくてもよい。
【００９５】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【００９６】
図４（ｃ）には、記憶部３４０の領域１に対応付けられたディスク１を装填している場合に予約登録した際の表示装置に表示する画像の一例を示している。
【００９７】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５（ａ）および（ｂ）を参照しつつ以下に説明する。図５（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【００９８】
コンテンツ１の録画が完了すると、図５（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【００９９】
次に、コンテンツ１を記憶部３４０の領域１およびディスク１に記録した際の記憶部３４０および記憶部２８０の状態について図６（ａ）〜（ｃ）を参照しつつ以下に説明する。図６（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１００】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１０１】
図６（ａ）には、記憶部３４０の領域１における仮想ディスクイメージを示している。図６（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１０２】
続いて、図６（ａ）において示した物理アドレスと仮想アドレスとの関連付けを実現するためのマップテーブルについて、図６（ｂ）を参照しつつ説明する。
【０１０３】
マップテーブルは、記憶部３４０のマイディスク管理領域におけるマップ情報として記録されている。マップテーブルは、図６（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１０４】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１０５】
マップテーブルは、コンテンツ１が領域１に記録されると共に内容が更新される。記憶部３４０の領域１が図６（ａ）に示す状態である場合のマップテーブルを、図６（ｂ）に示す。図６（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１０６】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１０７】
なお、図６（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１０８】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１０９】
タイトル管理テーブルには、図６（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１１０】
図６（ｂ）に示したマップテーブルを設定したときのタイトル管理テーブルの一例を、図６（ｃ）に示している。このとき、タイトル１における残りダビング回数は、コンテンツ１をディスク１へ記録したため、残り１０回から１回減算されて「９」回となっている。
【０１１１】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７（ａ）および（ｂ）を参照しつつ以下に説明する。図７（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１１２】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド部２００からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１１３】
コンテンツ２の録画が終了すると、図７（ｂ）に示すように、バックエンド制御部２４０は記憶部２８０における予約情報管理領域からコンテンツ２の予約録画を示す予約情報を消去する。
【０１１４】
次に、コンテンツ２を記憶部３４０の領域１に記録した際の記憶部３４０および記憶部２８０の状態について図８（ａ）〜（ｃ）を参照しつつ以下に説明する。図８（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１１５】
図８（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１１６】
コンテンツ２が領域１に記録されると共に、記憶部３４０のエントリ１におけるマップ情報に記録されているマップテーブルも更新される。記憶部３４０の領域１が図８（ａ）に示す状態のマップテーブルを、図８（ｂ）に示す。図８（ｂ）に示すように、図６（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１１７】
また、図８（ｃ）には、図８（ｂ）に示したマップテーブルが設定されたときのタイトル管理テーブルの一例を示している。図８（ｃ）に示すように、タイトル管理テーブルでは、図６（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１１８】
（コンテンツの同期処理）
次に、記憶部３４０に記録されたコンテンツであってマイディスクに対して記録されていないコンテンツを、マイディスクに対して記録する同期処理について、図９〜図１１（ａ）〜（ｃ）を参照して以下に説明する。
【０１１９】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１２０】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１２１】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を消去する（図９）。なお、図９は、コンテンツの同期処理後の記憶部３４０およびディスク１の状態を示す図である。
【０１２２】
次に、記憶部３４０の領域１に記録されているコンテンツ２をディスク１に書き出した際の記憶部３４０および記憶部２８０の状態について図１０（ａ）〜（ｃ）を参照しつつ以下に説明する。図１０（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１２３】
図１０（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１２４】
コンテンツ２の同期処理が完了すると、図１０（ｂ）に示すように、エントリ１のマップ情報に記録されているマップテーブルの同期フラグが、コンテンツがマイディスクに記録されていることを表す「１」となる。また、図１０（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１２５】
次に、ディスク１において「０ｘ２５０」を先頭アドレスとするコンテンツ（コンテンツ３）が既に記録されている場合のコンテンツ２の同期処理について、図１１（ａ）〜（ｄ）を参照して以下に説明する。
【０１２６】
図１１（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１２７】
図１１（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１２８】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１２９】
このとき、領域１のマップテーブルについても、図１１（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１３０】
同様に、図１１（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１３１】
（領域１に記録されているコンテンツの消去）
記憶部３４０における領域１の空き容量が少なくなった場合には、領域１に記録されているコンテンツを消去するようにすればよい。領域１に記録されているコンテンツの消去は、ユーザーの指示により実行されるようにしてもよいし、領域１における空き容量が所定値以下となった場合に自動的に実行されるようにしてもよい。
【０１３２】
図１２は、領域１に記録されていたコンテンツ１およびコンテンツ２を消去した後に、新たにコンテンツ４を録画したときの記憶部３４０およびディスク１の状態を示す図である。なお、図１２は、マイディスクが装填されている状態での録画のため、コンテンツ４はディスク１に対しても記録されている。
【０１３３】
図１２に示す状態、すなわちコンテンツ１およびコンテンツ２を領域１から消去した後に領域１にコンテンツ４を記録したときの記憶部３４０および記憶部２８０の状態について図１３（ａ）〜（ｃ）を参照しつつ以下に説明する。図１３（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１３４】
ドライブ制御部３２０は、領域１からコンテンツ１およびコンテンツ２が消去されると、記憶部３４０のエントリ１に記録されているマップテーブルにおけるメモリマップからコンテンツ１およびコンテンツ２に関する情報を消去する。また、ドライブ制御部３２０は、コンテンツ１およびコンテンツ２に関連付けられた同期フラグについても消去する。ただし、図１３（ａ）に示すように、コンテンツ１およびコンテンツ２は、仮想ディスクイメージ上においては消去されることなく残されている。すなわち、図１３（ｂ）に示すように、領域１からコンテンツ１およびコンテンツ２を消去したとしても、マップテーブルにおける仮想ディスクマップからはコンテンツ１およびコンテンツ２の情報は消去されることなく残されることになる。
【０１３５】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１３６】
また、図１３（ｃ）に示すように、領域１からコンテンツ１およびコンテンツ２が消去されることに伴って、記憶部２８０におけるタイトル管理テーブルも変更される。領域１に記録されていたコンテンツ１およびコンテンツ２が消去されると、バックエンド制御部２４０は、記憶部２８０におけるタイトル管理テーブルにおけるコンテンツ１およびコンテンツ２の残りダビング回数および同期状態を示す情報を消去する。次に、コンテンツ４が領域１に記録されると、バックエンド制御部２４０は、コンテンツ４を示すタイトル（タイトル４）に関する情報をタイトル管理テーブルに登録する。
【０１３７】
＜コンテンツ再生動作＞
次に、レコーダ装置１００におけるコンテンツの再生動作について、図１４〜図１７を参照しつつ以下に説明する。
【０１３８】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１３９】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１４０】
（マイディスクが装填されている場合の再生処理）
マイディスクが装填されている場合の再生処理について、図１４および図１５を参照して以下に説明する。図１４は、コンテンツ１〜３を記録したディスク１が装填されている場合の記憶部３４０および記憶部２８０の状態を示す図である。図１５は、マイディスクが装填されている場合において、再生時にコンテンツが読み出される媒体を模式的に示した図である。
【０１４１】
図１４に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１４では、タイトル管理テーブルの詳細については省略して示している。
【０１４２】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１４３】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１４４】
領域１からコンテンツ１を読み出したドライブ制御部３２０は、読み出したコンテンツ１を、インターフェース部３１０を介してバックエンド部２００に出力する。
【０１４５】
このように、読み出しの対象となるコンテンツがマイディスクにも記憶部３４０にも記録されている場合、図１５に示すように、コンテンツは記憶部３４０から読み出される。
【０１４６】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１４７】
ディスク１からコンテンツ３が読み出されると、ドライブ制御部３２０は、読み出したコンテンツ３を、インターフェース部３１０を介してバックエンド部２００に出力する。
【０１４８】
このように、読み出しの対象となるコンテンツが記憶部３４０に記録されていない場合、図１５に示すように、コンテンツはマイディスクから読み出される。
【０１４９】
（マイディスクが装填されていない場合の再生処理）
続いて、マイディスクが装填されていない場合の再生処理について、図１６および図１７を参照して以下に説明する。図１６は、ドライブ部３００に光ディスクが装填されていない場合の記憶部３４０および記憶部２８０の状態を示す図である。図１７は、マイディスクが装填されていない場合において、再生時にコンテンツが読み出される媒体を模式的に示した図である。
【０１５０】
図１６に示すように、記憶部３４０の領域１には、コンテンツ１およびコンテンツ２が記録されている。しかし、図１４の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、図１４と同様に、タイトル管理テーブルの詳細については省略して示している。
【０１５１】
図１６に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１５２】
すなわち、図１７に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１５３】
なお、図１７に示すコンテンツ１の読み出し処理は、マイディスクが装填されている場合におけるコンテンツ１の読み出し処理と同様であるため、ここでは説明を省略する。
【０１５４】
＜コンテンツ編集動作＞
次に、レコーダ装置１００におけるコンテンツの編集動作について、図１８および図１９（ａ）および（ｂ）を参照しつつ以下に説明する。
【０１５５】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１５６】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１５７】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの消去およびコンテンツにおけるチャプターの追加を含む処理である。なお、ここではコンテンツにおけるシーン消去を例に挙げて説明するが、他の処理であっても同様に処理することができる。
【０１５８】
（マイディスクが装填されている場合の編集処理）
マイディスクが装填されている場合の編集処理について、図１４および図１８を参照して以下に説明する。図１８は、マイディスクが装填されている場合において、コンテンツが編集される媒体を模式的に示した図である。
【０１５９】
図１４に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１４では、タイトル管理テーブルの詳細については省略して示している。
【０１６０】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１６１】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１６２】
このように、データを変更する対象となるコンテンツがマイディスクにも記憶部３４０にも記録されている場合、図１８に示すように、記憶部３４０に記録されているコンテンツのデータが変更されることになる。
【０１６３】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１６４】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１６５】
（マイディスクが装填されていない場合の編集処理）
続いて、マイディスクが装填されていない場合のコンテンツの編集処理について、図１６および図１９（ａ）および（ｂ）を参照して以下に説明する。図１９（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１６６】
図１６に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１６７】
すなわち、図１９（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１６８】
＜コンテンツコピー動作＞
次に、レコーダ装置１００におけるコンテンツのコピー動作について、図２０（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２０（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１６９】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１７０】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２０（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１７１】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２０（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１７２】
なお、図２０（ａ）に示すように、ディスク２はドライブ部３００に装填されていないため、領域２に記録されているコンテンツ２の同期状態は、未同期を表す情報である。
【０１７３】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を消去すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１７４】
また、ユーザーからのディスク１の登録解除指示を受けたバックエンド制御部２４０は、記憶部２８０におけるディスク１のタイトル管理領域に記録されているタイトル管理情報を消去する。これによって、バックエンド部２００において、ディスク１に記録されていたコンテンツを示すタイトルを認識することができなくなる。
【０１７５】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１７６】
ここで、光ディスクのファイルシステムを利用したデータ管理について、図２１（ａ）〜（ｃ）を参照しつつ以下に説明する。図２１（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１７７】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１７８】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２１（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１７９】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１８０】
なお、図２１（ａ）には、ディスク１に関するファイルシステムについてのみ示しているが、記憶部２８０のファイルシステム管理領域には、マイディスクとして登録されているディスクの数だけファイルシステムが記録されている。
【０１８１】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１８２】
さらに、図２１（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１８３】
このように、記憶部３４０に記録されているマップ情報は、本実施形態ではコンテンツごとの配置情報として示しているが、より正確には、図２１（ｃ）に示すように、領域（ファイル）ごとの配置情報を示すものである。
【０１８４】
また、マイディスクの登録解除の際には、ファイルシステム管理領域に記録されているファイルシステムについても、タイトル管理情報と併せて消去される。
【０１８５】
＜表示装置における表示例＞
次に、レコーダ装置１００に接続された表示装置におけるコンテンツとタイトルリストに記録されている情報との表示例について、図２２を参照しつつ以下に説明する。図２２は、表示装置５００上でのコンテンツおよびタイトルリストに記録されている情報の表示を概略的に示す図である。
【０１８６】
操作入力部を介してユーザーがタイトルリストの表示をレコーダ装置１００に対して指示すると、表示装置５００では、タイトルリストおよびコンテンツが図２２に示すように表示される。
【０１８７】
すなわち、図２２に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１８８】
タイトルリスト表示部５２０には、図２２に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１８９】
図２２では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１９０】
＜マイディスクへのコンテンツの復元＞
上述したように、タイトル表示部５２０には、記憶部２８０に記録されているタイトル管理テーブルの情報が表示される。したがって、現在ドライブ部３００に装填されている光ディスクに記録されているコンテンツを示すタイトルリストが記憶部２８０に記録されるまでは、ディスクに記録されていないコンテンツを示すタイトルがタイトル表示部５２０に表示されてしまう。これによって、ユーザーがディスクに記録されていないコンテンツの再生を指示してしまうケースが生じえる。以下、本発明に係るレコーダ装置１００において上記のケースが生じた場合の処理について説明する。
【０１９１】
本発明に係るレコーダ装置１００において、ドライブ部３００の記憶部３４０に記憶されているコンテンツをディスクに書き込んで復元する復元処理について、図１、図２３〜２８を参照しつつ以下に説明する。
【０１９２】
なお、本項では、ユーザーが、ディスクに記録されていないコンテンツを再生すべきコンテンツとして選択した場合におけるコンテンツの復元処理について説明する。
【０１９３】
（バックエンド制御部２４０の構成）
レコーダ装置１００においてコンテンツの復元処理を実現するためのバックエンド制御部２４０の要部構成を図２３に示す。図２３は、レコーダ装置１００におけるバックエンド制御部２４０の要部構成を示す機能ブロック図である。なお、図２３では、図１において示した各ブロックのうち、コンテンツの復元処理の実現に関連しないブロックについては省略している。また、図１に示す各ブロックと同一のブロックについては、同一の参照符号を付し、その説明を省略する。
【０１９４】
図２３に示すように、バックエンド制御部２４０には、タイトル表示部２４１、タイトル選択部２４２、タイトル判定部２４３、ならびに同期処理部２４４が備えられている。
【０１９５】
タイトル表示部２４１は、レコーダ装置１００に記憶されているコンテンツのタイトルリストの表示を行う操作をユーザーがリモコン等を介して行った場合に、記憶部２８０からタイトルリストを読み出す。そして、タイトル表示部２４１は、読み出したタイトルリストを画像処理部２７０に出力する。画像処理部２７０では、タイトル表示部２４１から入力されたタイトルリストを表示装置（図示しない）に表示する。
【０１９６】
なお、バックエンド部２００には、ユーザーのリモコン操作によるリモコン信号を受信するユーザー操作受付部（図示しない）が備えられている。ユーザー操作受付部は、バックエンド制御部２４０に接続されており、リモコンから受信したリモコン信号をバックエンド制御部２４０の各部に出力する。
【０１９７】
タイトル選択部２４２は、タイトルリストに含まれているタイトルからユーザー操作に応じたタイトルを選択する。タイトル選択部２４２における処理を具体的に説明する。タイトル選択部２４２は、ユーザー操作受付部から出力されたリモコン信号を受信すると、タイトルリストを記憶部２８０から読み出す。タイトル選択部２４２は、リモコン信号に基づいて、記憶部２８０から読み出したタイトルリストの中からユーザーにより選択されたタイトルを選択する。タイトル選択部２４２は、選択されたタイトルにより表されるコンテンツを読み出すようにドライブ部３００に指示する。
【０１９８】
ドライブ部３００からコンテンツが読み出されると、タイトル選択部２４２は読み出されたコンテンツをデコーダ部２６０に出力する。また、タイトル選択部２４２は、タイトルリストの中から選び出したタイトルをタイトル判定部２４３に出力する。
【０１９９】
タイトル判定部２４３は、ユーザーにより選択されたタイトルが装填されているディスクに記録されているタイトルリストに存在するか否かを判定する。
【０２００】
タイトル判定部２４３の処理をより具体的に説明する。タイトル判定部２４３は、ドライブ部３００のディスクドライブ部３３０に装填されたディスクからタイトルリストを読出しようにドライブ部３００に指示する。そして、タイトル判定部２４３は、タイトル選択部２４２から出力されたタイトルが、ディスクから読み出したタイトルリストに存在するか否かを判定する。
【０２０１】
さらに、タイトル判定部２４３は、タイトル選択部２４２から出力されたタイトルがディスクから読み出したタイトルリストに存在する場合には、ドライブ部３００に対してその旨を通知する。
【０２０２】
また、タイトル判定部２４３は、タイトル選択部２４２から出力されたタイトルがディスクから読み出したタイトルリストに存在しない場合には、存在していないことを示す情報を同期処理部２４４に出力する。
【０２０３】
同期処理部２４４は、タイトル選択部２４２から出力されたタイトル（ユーザーの選択したタイトル）がディスクから読み出したタイトルリストに存在しない場合に、ディスクに対してユーザーの選択したタイトルにより表されるコンテンツを復元する。同期処理部２４４における処理の詳細は、下記に詳述する。
【０２０４】
（再生コンテンツの選択およびタイトルリストの表示）
次に、レコーダ装置１００における再生コンテンツの選択およびタイトルリストの表示について以下に説明する。
【０２０５】
図２４は、ドライブ部３００の記憶部３４０に記憶される情報を例示した図であり、複数のディスク１〜ディスクｎまでをマイディスクとして記憶部３４０に登録した様子を模式的に示している。図２４に示すように、記憶部３４０には、マイディスクとして登録された各ディスクのストリーム（コンテンツ自体）が記憶され、記憶部３４０に記憶されたストリームに対応するタイトル情報が記憶部２８０に記憶されている。
【０２０６】
また、タイトル情報には、コンテンツ１〜Ｘを表すタイトル１〜Ｘに対してタイトル名、再生時間、ならびに番組情報が記憶されている。一方、ストリームには、コンテンツ１〜Ｘの記録時間を表す開始時間と終了時間が記憶されている。
【０２０７】
本実施形態に係るレコーダ装置１００では、ユーザーによってディスク１が装填されると、記憶部２８０にキャッシュしてあるタイトルリストを読み出すことによって、ディスクからディスク情報を読み出す前にタイトルリストを表示装置（図示しない）に表示する。
【０２０８】
具体的には、ディスク１に録画されている番組等を視聴する場合、ドライブ制御部３２０は、ディスクドライブ部３３０に装填されたディスクのＩＤを読み取り、読み取ったディスクＩＤをバックエンド部２００に出力する。バックエンド部２００では、ディスクＩＤを用いて記憶部２８０にあるタイトルリスト等の必要な情報が読み出される。
【０２０９】
記憶部２８０から読み出されたタイトルリストは、表示装置の表示画面上に表示される。これによって、ユーザーは、表示されたタイトルリストを見ながら再生しようとするタイトル（コンテンツ）を選択することができる。レコーダ装置１００において、ユーザーがタイトルリストを表示画面上で確認できるまでに要する時間は、ディスク１に記録されているタイトルリストを読み出して表示する場合と比較して短い。
【０２１０】
そして、装填されたディスクからデータの読み出しが可能となる前に、ユーザーが特定のタイトルを選択した場合、ユーザーが選択したタイトルのコンテンツが記憶部３４０から読み出されて再生される。
【０２１１】
（タイトル情報の一致について）
ここで、復元処理の詳細な説明に先立って、記憶部３４０の領域１に記録されているコンテンツと、記憶部２８０に記録されているディスク１のタイトル情報と、ディスク１に記録されているタイトル情報との関連性を、図２５（ａ）〜（ｃ）を参照しながら説明する。まず、図２５（ａ）では、レコーダ装置１００の記憶部２８０に記憶されているタイトル情報とディスク１に記憶されているタイトル情報とが一致している。すなわち、図２５（ａ）に示す場合では、記憶部２８０とディスク１とのタイトル情報が一致するため、ユーザーが再生を指示するコンテンツは、いずれもディスク１に記録されているコンテンツである。
【０２１２】
図２５（ｂ）は、記憶部２８０に記憶されているタイトル情報とディスク１に記憶されているタイトル情報とが一致しない場合を示している。より具体的には、図２５（ｂ）では、記憶部２８０に記憶されていないコンテンツＹがディスク１に記憶されている場合を示している。図２５（ｂ）では、コンテンツＹはディスク１にのみ記録されているが、記憶部２８０に記憶されているタイトル情報にはコンテンツＹを表すタイトルＹは記録されていないため、タイトルリストにおいてタイトルＹは表示されない。すなわち、ユーザーは、ディスク１から読み出されたタイトル情報によるタイトルリストが表示されるまでは、コンテンツＹを再生させることはできない。
【０２１３】
ディスク１のタイトル情報と記憶部２８０のタイトル情報が一致しない場合には、ディスク１からのデータの読み出しが可能となった時点で記憶部２８０に記憶されているタイトル情報をディスク１のタイトル情報に更新する。これにより、ディスク１にのみ記憶されているコンテンツＹを再生することができるようになる。
【０２１４】
図２５（ｃ）は、記憶部２８０に記憶されているタイトル情報とディスク１に記憶されているタイトル情報とが一致しない場合を示している。より具体的には、図２５（ｃ）では、記憶部２８０に記憶されているコンテンツＹがディスク１に記憶されていない場合を示している。なお、これは、他のレコーダにおいてディスク１からコンテンツＹを消去した場合、または、ディスクに生じた傷や劣化によってコンテンツＹが失われた場合などである。
【０２１５】
図２５（ｃ）に示す場合、ディスクを装填後、コンテンツＹを表すタイトルがタイトルリストに表示されるため、ユーザーは、コンテンツＹの再生を指示することができる。この場合、ディスク１に記録されていないはずのコンテンツＹが記憶部３４０から読み出されて再生されることになる。レコーダ装置１００では、このような場合に、以下に説明する復元処理を実行することになる。すなわち、レコーダ装置１００において、記憶部３４０に記録されているコンテンツをディスクに書き込んで復元しておくことにより、次回以降のコンテンツ再生時にディスクからのストリーム再生を行えるようになる。
【０２１６】
また、上記したように、記憶部３４０にデータの先頭部分から一定の容量分だけが記憶されている場合には復元処理は行わない。
【０２１７】
（復元処理）
次に、レコーダ装置１００における復元処理の詳細について、図２６を参照して以下に説明する。図２６は、本発明に係るレコーダ装置１００における復元処理の処理フローを示す図である。なお、コンテンツの復元処理は、コンテンツを記憶部３４０から読み出して再生している間に実行するようにしてもよいし、ディスクの取り出し指示を受けてから、ディスクが排出されるまでの間に実行するようにしてもよい。
【０２１８】
まず、ユーザーは、レコーダ装置１００を起動した後、マイディスクとして登録されているディスクをレコーダ装置１００のディスクドライブ部３３０に装填する。ディスクが装填されると、ディスクＩＤが、インターフェース部３１０を介してバックエンド制御部２４０のタイトル表示部２４１に出力される。タイトル表示部２４１では、ディスクＩＤに基づいて、ディスクに記憶されているコンテンツのタイトルに対応するタイトルリストを記憶部２８０から読み出して画像処理部２７０に出力する。これにより、表示装置においてタイトルリストが表示される（Ｓ２６１）。
【０２１９】
次に、ユーザーが再生を所望するタイトルを選択すると（Ｓ２６２でＹＥＳ）、タイトル選択部２４０は、ユーザーが選択したタイトルにより表されるコンテンツを読み出す読み出し指示をドライブ部３００に出力する。そして、ドライブ部３００から読み出されたコンテンツ（正確には、ドライブ部３００における記憶部３４０から読み出されたコンテンツ）をデコーダ部２６０に出力する（Ｓ２６３）。これにより、ユーザーが再生を所望するコンテンツの再生が開始される。
【０２２０】
次に、タイトル選択部２４２は、ユーザーが選択したタイトルをタイトル判定部２４３に出力する。タイトル判定部２４３は、装填されているディスクからデータが読み出し可能になると、ディスクに記録されているタイトル情報を読み出すようにドライブ部３００に指示する。（Ｓ２６４）。タイトル判定部２４３は、ドライブ部３００においてディスクから読み出されたタイトル情報（タイトルリスト）に、Ｓ２６２においてユーザーが選択したタイトルが存在しているか否かを判定する（Ｓ２６５）。
【０２２１】
ディスクから読み出したタイトル情報の中にユーザーが選択したタイトルが存在する場合（Ｓ２６５でＹＥＳ）、タイトル選択部２４２は、ディスクに記録されているタイトル情報にユーザーが選択したタイトルが存在することをドライブ部３００に通知する。ドライブ部３００におけるドライブ制御部３２０は、上記の通知を受けると、コンテンツの読み出しを記憶部３４０からディスクに切り換える（Ｓ２６６）。すなわち、ドライブ制御部３２０は、バックエンド部２００からの読み出し命令を記憶部３４０からの読み出し命令に変換することなく、ディスクからコンテンツを読み出す。以後、コンテンツの再生が終了するまで、ドライブ制御部３２０は、ディスクからコンテンツを読み出す（Ｓ２６７）。なお、Ｓ２６６における切り換え処理の詳細については以下に説明する。
【０２２２】
一方、ディスクから読み出したタイトルリストの中にユーザーが選択したタイトルが存在していない場合（Ｓ２６５でＮＯ）、タイトル判定部２４３は、ユーザーが選択したタイトルが存在していないことを示す情報を同期処理部２４４に出力する。
【０２２３】
同期処理部２４４は、ドライブ部３００から読み出されたコンテンツを、デコーダ部２６０に出力すると共に、ディスクドライブ部３３０に装填されているディスクに書き込む書込み命令を、書き込み対象となるコンテンツ（先の処理で読み出したコンテンツ）と共にドライブ部３００に出力する。（Ｓ２７５）。ドライブ部３００におけるディスクドライブ部３３０は、書き込み対象のコンテンツをディスクに書き込む。これによって、ディスクに記録されていないコンテンツを記憶部３４０から復元することができる。なお、コンテンツの再生終了後にディスクへの書込みを実行する場合には、同期処理部２４４は、タイトル判定部２４３から取得したタイトル（すなわち、ユーザーが選択したタイトル）により表されるコンテンツを読み出すようにドライブ部３００に指示する。そして、同期処理部２４４は、読み出されたコンテンツと共に、書き込み命令をドライブ部３００に出力する。
【０２２４】
ここで、ディスクから読み出したタイトル情報の中にＳ２６２においてユーザーが選択したタイトルが存在しない場合（Ｓ２６５でＮＯ）、同期処理部２４４は、図２６に示すＳ２６８、Ｓ２６９、Ｓ２７０、Ｓ２７１の処理を行うようにしてもよい。Ｓ２６８、Ｓ２６９、Ｓ２７０、Ｓ２７１の詳細について以下に説明する。同期処理部２４４は、記憶部３４０から読み出したコンテンツのデータが、コンテンツの全ての内容を含むデータであるか否かを判定する（Ｓ２６８）。Ｓ２６８でＹＥＳの場合、同期処理部２４４は、復元対象のコンテンツを書き込み可能な記憶領域がディスクにあるか否かを判定する（Ｓ２６９）。
【０２２５】
Ｓ２６９でＹＥＳの場合、同期処理部２４４は、ユーザーが選択したタイトルにより表されるコンテンツをディスクへコピーするか否かをユーザーに対して問い合わせる（Ｓ２７０）。より具体的には、同期処理部２４４は、「再生中のタイトルをディスクにコピーしますか」等の表示を表示装置に表示させるように動作する。
【０２２６】
次に、同期処理部２４４は、コピーの実行指示が入力されると（Ｓ２７１でＹＥＳ）、上述した書き込み処理（Ｓ２７５の処理）を行う。
【０２２７】
一方、Ｓ２６８、Ｓ２６９、Ｓ２７１の各ステップでＮＯの判定の場合、同期処理部２４４は、ドライブ部３００に対してコンテンツの読み出しを停止するように指示する（Ｓ２７２）。これにより、レコーダ装置１００は、コンテンツの再生を停止する。また、同期処理部２４４は、同時にディスクからコンテンツが消去されていることをユーザーに通知する（Ｓ２７３）。具体的には、同期処理部２４４は、表示画面上に「再生中のタイトルはディスクから消去されています」等の表示装置に表示させるように動作する。これにより、レコーダ装置１００は、ユーザーの選択したタイトルにより表されるコンテンツがディスクから消去されているコンテンツであることをユーザーに通知する。
【０２２８】
次に、同期処理部２４４は、記憶部２８０からタイトルリストを読み出して、タイトルリストの中からディスクに記録されていないコンテンツを表すタイトルを消去して、記憶部２８０に保存する（Ｓ２７４）。
【０２２９】
ここで、上述した復元処理の処理前と処理後の記憶部３４０、記憶部２８０およびディスクの状態について、図２７および図２８を参照して以下に説明する。
【０２３０】
図２８に示すように、復元処理が開始される前の状態では、記憶部３４０のメモリマップ上には先頭部分からコンテンツ１〜Ｘが記憶され、ディスク１にないコンテンツＹがコンテンツＸの記憶領域の後ろの領域に記憶されている。一方、ディスク１のメモリマップ上では、先頭部分からコンテンツ１〜Ｘが記憶され、コンテンツＸより後ろの記憶領域は空き領域となっている。
【０２３１】
復元処理が行われると、ディスク１のメモリマップ上にコンテンツＹのデータを記憶できる空き容量が存在するかの確認、ならびに復元処理を実行するか否かをユーザーに確認するの処理などを経て、ディスク１に対してコンテンツＹのデータの書き込みが行われる。
【０２３２】
図２８に示すように、ディスク１にコンテンツＹが復元されると、ディスク１のメモリマップ上には、コンテンツＹがコンテンツＸの記憶領域の後ろに記憶された状態になる。また、図２７に示すように、コンテンツＹの復元後、ディスク１には復元されたコンテンツＹのストリーム（コンテンツ）が追加される。
【０２３３】
なお、ディスク１のタイトル情報にコンテンツＹを表すタイトルは追加されない。タイトル情報は復元処理においては更新されず、ディスク１の再装填時など、ディスク１のタイトル情報と記憶部２８０に記憶されているタイトル情報とが一致しているか否かが判定された場合に、タイトル情報が一致していなければ更新される。
【０２３４】
（再生ストリームの切り替え処理）
次に、Ｓ２６６における再生ストリームの切り替え処理について説明する。
【０２３５】
記憶部３４０のコンテンツのストリームが再生されている間に、ディスクドライブ部３３０においてディスクからのデータ読み出しが可能になると、ストリーム動画のＣＭ期間中など適当な時期に、記憶部３４０からのストリームをディスクからのストリームの再生に切り替える動作が行われる。
【０２３６】
ところで、レコーダ装置１００では、記憶部３４０の容量の制限により、コンテンツのデータの全てを記憶しておくことが困難な場合には、データの先頭部分から一定の容量分だけを記憶部３４０に記憶しておくようにすることが好ましい。このような場合には、記憶部３４０からのストリーム再生をディスクからのストリーム再生に切り替えることで、ユーザーは、動画を最後まで観賞することができる。
【０２３７】
（プログラムおよび記録媒体）
レコーダ装置１００に含まれているバックエンド制御部２４０およびドライブ制御部３２０は、ハードウェアロジックによって構成すればよい。または、次のように、ＣＰＵ（Central Processing Unit）を用いてソフトウェアによって実現してもよい。
【０２３８】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２３９】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０２４０】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２４１】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２４２】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２４４】
本発明に係るドライブ装置は、ＢＤドライブ、ＤＶＤドライブまたはＣＤドライブとして好適に利用することができる。本発明に係るデータ記録再生装置は、ＢＤレコーダまたはＤＶＤレコーダとして好適に利用することができる。また、本発明に係るデータ記録再生装置は、テレビジョン受像機に搭載する場合であっても好適に利用することができる。
【符号の説明】
【０２４５】
１００    レコーダ装置（コンテンツ記録装置）
２００    バックエンド部
２１０    チューナー部
２２０    エンコーダ部
２３０    ストリーム処理部
２４０    バックエンド制御部
２４１    タイトル表示部（リスト提示手段）
２４２    タイトル選択部
２４３    タイトル判定部
２４４    同期処理部（情報提示手段）
２５０    バッファ部
２６０    デコーダ部
２７０    画像処理部
２８０    記憶部
２９０    インターフェース部
３００    ドライブ部
３１０    インターフェース部
３２０    ドライブ制御部
３３０    ディスクドライブ部（記録手段）
３４０    記憶部（着脱不能な記録媒体）
【図１】
2011048883.tif 000003
【図２】
2011048883.tif 000004
【図３】
2011048883.tif 000005
【図４】
2011048883.tif 000006
【図５】
2011048883.tif 000007
【図６】
2011048883.tif 000008
【図７】
2011048883.tif 000009
【図８】
2011048883.tif 000010
【図９】
2011048883.tif 000011
【図１０】
2011048883.tif 000012
【図１１】
2011048883.tif 000013
【図１２】
2011048883.tif 000014
【図１３】
2011048883.tif 000015
【図１４】
2011048883.tif 000016
【図１５】
2011048883.tif 000017
【図１６】
2011048883.tif 000018
【図１７】
2011048883.tif 000019
【図１８】
2011048883.tif 000020
【図１９】
2011048883.tif 000021
【図２０】
2011048883.tif 000022
【図２１】
2011048883.tif 000023
【図２２】
2011048883.tif 000024
【図２３】
2011048883.tif 000025
【図２４】
2011048883.tif 000026
【図２５】
2011048883.tif 000027
【図２６】
2011048883.tif 000028
【図２７】
2011048883.tif 000029
【図２８】
2011048883.tif 000030